【手続補正書】
【提出日】平成20年6月10日(2008.6.10)
【手続補正１】
【補正対象書類名】明細書
【補正対象項目名】発明の名称
【補正方法】変更
【補正の内容】
【発明の名称】書込装置及び画像形成装置
【手続補正２】
【補正対象書類名】明細書
【補正対象項目名】特許請求の範囲
【補正方法】変更
【補正の内容】
【特許請求の範囲】
【請求項１】
可撓性を有する基材と、
前記基材の第１の方向に複数配設され且つ静電潜像の書き込みに用いられる書込電極と、
前記書込電極に印加する電圧を制御するドライバと、
前記書込電極及び前記ドライバを電気的に接続する配線部と、
を有することを特徴とする書込装置。
【請求項２】
前記書込電極は、前記基材上で第１の書込電極と当該第１の書込電極の隣に位置する第２の書込電極とは互いに向きが反対となるように配設され、
且つ、
前記第１の書込電極の一部と前記第２の書込電極の一部とが、前記基材における前記第１の方向とは直交する第２の方向においてオーバーラップするように配設されていることを特徴とする請求項１に記載の書込装置。
【請求項３】
前記書込電極は前記第１の方向において複数列になるように配設され、
且つ、
前記複数列のうちの第１列に位置する第１書込電極の一部と前記複数列のうちの第２列に位置する第２書込電極の一部とが、前記基材における前記第１の方向とは直交する第２の方向においてオーバーラップするように配設されていることを特徴とする請求項１に記載の書込装置。
【請求項４】
前記書込電極と前記ドライバとは前記基材の同一面側に配設され、
且つ、
前記基材の一方には前記書込電極が配設され前記基材の一方とは反対側に位置する前記基材の他方には前記ドライバが配設されることを特徴とする請求項１乃至３のいずれか１に記載の書込装置。
【請求項５】
前記基材の端部を固定する固定部材を有し、
前記基材は、前記書込電極が外側に位置する状態にて湾曲され、当該基材の両端部が固定部材に固定されることを特徴とする請求項１乃至３のいずれか１に記載の書込装置。
【請求項６】
前記固定部材は、導電性を有することを特徴とする請求項５に記載の書込装置。
【請求項７】
前記書込電極は、前記湾曲された湾曲部に位置することを特徴とする請求項５または６に記載の書込装置。
【請求項８】
前記書込電極は、抵抗層を有するとともに、前記抵抗層は前記基材表面よりも突出した部位を有することを特徴とする請求項１乃至７のいずれか１に記載の書込装置。
【請求項９】
前記書込電極は、前記第１の方向において複数列配設することを特徴とする請求項１に記載の書込装置。
【請求項１０】
帯電体層を有する潜像担持体と、
請求項１乃至９のいずれか１に記載の書込装置と、
前記書込装置により形成された潜像を現像する現像装置と、
を有することを特徴とする画像形成装置。
【請求項１１】
前記書込装置の抵抗値は、前記帯電体層の抵抗値よりも低い値であることを特徴とする請求項１０に記載の画像形成装置。
【請求項１２】
前記書込装置の抵抗値は、１０8Ωｃｍ以下であることを特徴とする請求項１０または１１に記載の画像形成装置。
【請求項１３】
前記書込装置の抵抗値は、１０6Ωｃｍ以上であることを特徴とする請求項１０ないし１２のいずれか１に記載の画像形成装置。
【請求項１４】
前記帯電体層の抵抗値は、１０9Ωｃｍ以下であることを特徴とする請求項１０ないし１３のいずれか１に記載の画像形成装置。
【請求項１５】
帯電体層を有する潜像担持体と、
前記潜像担持体を帯電する帯電装置と、
請求項１乃至９のいずれか１に記載の書込装置と、
前記書込装置により形成された潜像を現像する現像装置と、
を有することを特徴とする画像形成装置。
【請求項１６】
前記現像装置により現像された像を転写材に転写する転写装置と、
前記転写装置により転写された前記潜像担持体を除電する除電装置と、
を有することを特徴とする請求項１０乃至１５のいずれか１に記載の画像形成装置。
【手続補正３】
【補正対象書類名】明細書
【補正対象項目名】０００１
【補正方法】変更
【補正の内容】
【０００１】
【発明の属する技術分野】
本発明は、書込電極により静電潜像の書き込みを行う書込装置及びこれを備える画像形成装置の技術分野に属する。
【手続補正４】
【補正対象書類名】明細書
【補正対象項目名】０００９
【補正方法】変更
【補正の内容】
【０００９】
本発明は、このような問題に鑑みてなされたものであって、その目的は、より一層小型化を図るとともに、部品点数をより一層削減してより一層シンプルで安価な構成にしながら、しかも静電潜像の書込をより安定して行うことのできる書込装置及び画像形成装置を提供することである。
本発明の他の目的は、オゾンの発生をより一層抑制することのできる書込装置及び画像形成装置を提供することである。
【手続補正５】
【補正対象書類名】明細書
【補正対象項目名】００１０
【補正方法】変更
【補正の内容】
【００１０】
【課題を解決するための手段】
この課題を解決するために、本発明の書込装置は、可撓性を有する基材と、前記基材の第１の方向に複数配設され且つ静電潜像の書き込みに用いられる書込電極と、前記書込電極に印加する電圧を制御するドライバと、前記書込電極及び前記ドライバを電気的に接続する配線部とを有することを特徴としている。
また、本発明の書込装置は、前記書込電極が、前記基材上で第１の書込電極と当該第１の書込電極の隣に位置する第２の書込電極とは互いに向きが反対となるように配設され、且つ、前記第１の書込電極の一部と前記第２の書込電極の一部とが、前記基材における前記第１の方向とは直交する第２の方向においてオーバーラップするように配設されていることを特徴としている。
【手続補正６】
【補正対象書類名】明細書
【補正対象項目名】００１１
【補正方法】変更
【補正の内容】
【００１１】
更に、本発明の書込装置は、前記書込電極が前記第１の方向において複数列になるように配設され、且つ、前記複数列のうちの第１列に位置する第１書込電極の一部と前記複数列のうちの第２列に位置する第２書込電極の一部とが、前記基材における前記第１の方向とは直交する第２の方向においてオーバーラップするように配設されていることを特徴としている。
更に、本発明の書込装置は、前記書込電極と前記ドライバとは前記基材の同一面側に配設され、且つ、前記基材の一方には前記書込電極が配設され前記基材の一方とは反対側に位置する前記基材の他方には前記ドライバが配設されることを特徴としている。
【手続補正７】
【補正対象書類名】明細書
【補正対象項目名】００１２
【補正方法】変更
【補正の内容】
【００１２】
更に、本発明の書込装置は、前記基材の端部を固定する固定部材を有し、前記基材が、前記書込電極が外側に位置する状態にて湾曲され、当該基材の両端部が固定部材に固定されることを特徴としている。
更に、本発明の書込装置は、前記固定部材が、導電性を有することを特徴としている。
更に、本発明の書込装置は、前記書込電極が、前記湾曲された湾曲部に位置することを特徴としている。
【手続補正８】
【補正対象書類名】明細書
【補正対象項目名】００１３
【補正方法】変更
【補正の内容】
【００１３】
更に、本発明の書込装置は、前記書込電極が抵抗層を有するとともに、前記抵抗層が前記基材表面よりも突出した部位を有することを特徴としている。
更に、本発明の書込装置は、前記書込電極が、前記第１の方向において複数列配設することを特徴としている。
更に、本発明の画像形成装置は、帯電体層を有する潜像担持体と、請求項１乃至９のいずれか１に記載の書込装置と、前記書込装置により形成された潜像を現像する現像装置とを有することを特徴としている。
【手続補正９】
【補正対象書類名】明細書
【補正対象項目名】００１４
【補正方法】変更
【補正の内容】
【００１４】
更に、本発明の画像形成装置は、前記書込装置の抵抗値が、前記帯電体層の抵抗値よりも低い値であることを特徴としている。
更に、本発明の画像形成装置は、前記書込装置の抵抗値が、１０8Ωｃｍ以下であることを特徴としている。
更に、本発明の画像形成装置は、前記書込装置の抵抗値が、１０6Ωｃｍ以上であることを特徴としている。
【手続補正１０】
【補正対象書類名】明細書
【補正対象項目名】００１５
【補正方法】変更
【補正の内容】
【００１５】
更に、本発明の画像形成装置は、前記帯電体層の抵抗値が、１０9Ωｃｍ以下であることを特徴としている。
更に、本発明の画像形成装置は、帯電体層を有する潜像担持体と、前記潜像担持体を帯電する帯電装置と、上記本発明の書込装置のいずれか１つと、前記書込装置により形成された潜像を現像する現像装置とを有することを特徴としている。
更に、本発明の画像形成装置は、前記現像装置により現像された像を転写材に転写する転写装置と、前記転写装置により転写された前記潜像担持体を除電する除電装置とを有することを特徴としている。
【手続補正１１】
【補正対象書類名】明細書
【補正対象項目名】００７４
【補正方法】変更
【補正の内容】
【００７４】
また、この例の書込電極３ｂの抵抗は、この書込電極３ｂが面接触する潜像担持体２の帯電体層２ｄの抵抗以下に設定されている。これは、帯電体層２ｄの抵抗より書込電極３ｂの抵抗が大きくなると、潜像形成する際の帯電応答速度が、書込電極に抵抗成分が付着した場合にその影響が受けやすくなるからである。帯電体層２ｄの抵抗は、具体的には１０9Ωｃｍ以下に設定することが望ましい。